(57)【要約】【課題】ウインドレギュレータの部品全体を一体化して搬送することができ、かつ、そのウインドレギュレータをドアに取り付けた後は、回収することができる搬送用固定具を提供する。【解決手段】ウインドレギュレータ１２の４つのプーリ２１取り付けられる取付部１３ａ、ｂと、駆動装置２５が収納される収納部１４とを備えた搬送用固定具１１。このウインドレギュレータ１２は搬送用固定具１１にドアパネルに取り付けられたときと実質的に同じ配置で格納され、その状態で搬送用固定具から取り外し、ドアパネルに取り付けることができる。【選択図】図１
2007210061.tif 000002
【特許請求の範囲】
【請求項１】
上下に備え付けられるケーブルガイドと、それらのケーブルガイドの間に配索されるインナーケーブルと、そのインナーケーブルに固定されると共に窓ガラスを支持するキャリアプレートと、インナーケーブルを駆動する駆動装置とからなるドアパネルに取り付けるウインドレギュレータを、ドアパネルに取り付ける構造と実質的に同じ構造で着脱自在に格納する搬送用固定具。
【請求項２】
前記ケーブルガイドを着脱自在に仮置きして格納する請求項１記載の搬送用固定部。
【請求項３】
取っ手を上端に備えた請求項１記載の搬送用固定具。
【請求項４】
前記ケーブルガイドがドアパネルに四角形状に４つ固定され、前記インナーケーブルが上下のケーブルガイドを直接連結するように８字状に配索されるウインドレギュレータを格納する請求項２記載の搬送用固定具。
【請求項５】
上下端に設けられた取付部と、その取付部の間に形成された凹状の収納部とからなるプレート状であり、前記ケーブルガイドは取付部に仮置きされ、前記キャリアプレートおよび駆動装置は収納部に仮置きされる請求項２記載の搬送用固定具。
【請求項６】
実質的に中心で回動自在に連結された２本のロッドからなり、前記ケーブルガイドはそれぞれロッドの上下部に仮置きされる請求項２記載の搬送用固定具。
【請求項７】
一方のロッドの上部と他方のロッドの下部とを連結する折り畳み可能なアームを備えた請求項６記載の搬送用固定具。
【請求項８】
請求項１から７いずれか記載の搬送用固定具と、その搬送用固定具に格納されるウインドレギュレータとからなるウインドレギュレータ組立セット。
【請求項９】
請求項８記載のウインドレギュレータ組立セットを、搬送用固定具とドアパネルの間にウインドレギュレータが位置するように配置し、ウインドレギュレータを搬送用固定具から取り外すと同時に、ドアパネルに取り付ける、ウインドレギュレータの取り付け方法。
【請求項１０】
前記ウインドレギュレータのケーブルガイドが、中心孔を有するプーリシャフトと、その外周に配置されるプーリ本体と、プーリシャフトおよびプーリ本体を覆うプーリブラケットと、ドアパネルを介してプーリシャフトの一方の開口部から中心孔に挿入されるボルトとからなり、
前記搬送用固定具を介して前記プーリブラケットの他方の開口部から中心孔に挿入された取付用ピンを、前記ボルトを一方の開口部から中心孔に挿入することによって押し出し、それにより、ケーブルガイドを搬送用固定具から取り外し、ドアパネルに取り付ける請求項９記載の取り付け方法。
【発明の詳細な説明】
【技術分野】
【０００１】
本発明は、ウインドレギュレータを格納する搬送用固定具、その搬送用固定具を用いたウインドレギュレータ組立セットおよびその取り付け方法に関する。
【背景技術】
【０００２】
【特許文献１】特開平１０−３７５９２号公報
【特許文献２】特開２００１−２４８３５６号公報
【特許文献３】ＷＯ２００２／０７５０９０号公報
【０００３】
従来、自動車のドアの窓ガラスを駆動するためにウインドレギュレータが用いられている。このウインドレギュレータには、ケーブルを上下に延びるように配索し、そのケーブルを上下に駆動させることによって、そのケーブルに固定した窓ガラスを上下させるもの、また、２本のアームをＸ字状にクロスさせて、そのアームを伸び縮みさせることによって、そのアームに固定した窓ガラスを上下させるものが知られている。
【０００４】
特許文献１には、ベースと、そのベースに矩形状に配置された４つのプーリと、上下のプーリを直接連結するよう８の字状に配索される無端ベルトと、上下のプーリを連結した無端ベルトに固定される２つのスライダと、スライダをガイドする２本のガイド部材と、その無端ケーブルを前後に駆動するモータとを備えたウインドレギュレータが開示されている。
【０００５】
また、特許文献２には、内パネルと、その内パネルに配設した４つのプーリと、その４つのプーリ間にたすき掛けしたワイヤーと、ワイヤーに固定したキャリアプレートと、ワイヤーの巻き取り、送り出しを行う駆動装置と、一方のキャリアプレートの昇降をガイドするガイド部とを備えたウインドレギュレータが開示されている。
【０００６】
さらに、特許文献３の図９には、上部に配置されたプーリと、下方に配置された駆動装置と、それらの間に閉ループ状に配索したケーブルと、そのケーブルに固定されたキャリアプレートとからなり、キャリアプレートをガイドするガイドレールを備えていないウインドレギュレータが開示されている。
【発明の開示】
【発明が解決しようとする課題】
【０００７】
このように種々のウインドレギュレータが開発されているが、これらをドアに取り付けるとき、それぞれの部品をドアに順番に取り付ける、あるいは、部品全体を一体化したモジュール板をドアに取り付けるなどが行われている。しかし、分離したそれぞれの部品をドアに取り付ける場合、そのウインドレギュレータをセットとして搬送することが困難であり、また、その取り付け工程が煩雑である。また、部品全体を一体化したモジュールプレートをドアに取り付ける場合、その取り付け工程は簡単であるが、モジュールプレートの基材等の重量がドアには加わる。そのため、自動車業界においては、取り付け工程が煩雑にならず、さらなる軽量化、低コスト化されたウインドレギュレータが求められている。
【０００８】
本発明は、ウインドレギュレータの部品全体を一体化して搬送することができ、かつ、そのウインドレギュレータをドアに取り付けた後は、回収することができる搬送用固定具を提供することを目的としている。また、この搬送用固定具にウインドレギュレータを取り付けたウインドレギュレータの組立セット、および、その取り付け方法を提供することを目的としている。
【課題を解決するための手段】
【０００９】
本発明の搬送用固定具（請求項１）は、上下に備え付けられるケーブルガイドと、それらのケーブルガイドの間に配索されるインナーケーブルと、そのインナーケーブルに固定されると共に窓ガラスを支持するキャリアプレートと、インナーケーブルを駆動する駆動装置とからなるドアパネルに取り付けるウインドレギュレータを、ドアパネルに取り付ける構造と実質的に同じ構造で着脱自在に格納することを特徴としている。また、ケーブルガイドを着脱自在に仮置きして格納するものが好ましい（請求項２）。また、上端に取っ手を備えたものが好ましい（請求項３）。ここでウインドレギュレータのケーブルガイドとしてプーリとスライドガイドが挙げられる。
【００１０】
このような搬送用固定具であって、ケーブルガイドがドアパネルに四角形状に４つ固定され、前記インナーケーブルが上下のケーブルガイドを直接連結するように８字状に配索されるウインドレギュレータを格納してもよい（請求項４）。
【００１１】
このような搬送用固定具であって、上下端に設けられた取付部と、その取付部の間に形成された凹状の収納部とからなり、前記ケーブルガイドは取付部に仮置きされ、前記キャリアプレートおよび駆動装置は収納部に仮置きされるプレート状のものが挙げられる（請求項５）。
【００１２】
さらに、四角状に４つのプーリを有するウインドレギュレータに用いる搬送用固定具にあっては、実質的に中心で回動自在に連結された２本のロッドからなり、前記ケーブルガイドはそれぞれロッドの上下部に仮置きされるＸリンク式のものが挙げられる（請求項６）。また、このＸリンク式の搬送用固定具であって、一方のロッドの上部と他方のロッドの下部とを連結する折り畳み可能なアームを備えたものであってもよい（請求項７）。
【００１３】
本発明のウインドレギュレータ組立セット（請求項８）は、上述したいずれかの搬送用固定具と、その搬送用固定具に格納されるウインドレギュレータとからなることを特徴としている。
【００１４】
本発明のウインドレギュレータ取り付け方法（請求項９）は、本発明のウインドレギュレータ組立セットを、搬送用固定具とドアパネルの間にウインドレギュレータが位置するように配置し、ウインドレギュレータを搬送用固定具から取り外すと同時に、ドアパネルに取り付けることを特徴としている。
【００１５】
このような取り付け方法であって、ウインドレギュレータのケーブルガイドが、中心孔を有するプーリシャフトと、その外周に配置されるプーリ本体と、プーリシャフトおよびプーリ本体を覆うプーリブラケットと、ドアパネルを介してプーリシャフトの一方の開口部から中心孔に挿入されるボルトとからなり、前記搬送用固定具を介して前記プーリシャフトの他方の開口部から中心孔に挿入された取付用ピンを、前記ボルトを一方の開口部から中心孔に挿入することによって押し出し、それにより、ケーブルガイドを搬送用固定具から取り外し、ドアパネルに取り付ける方法が挙げられる（請求項１０）。
【発明の効果】
【００１６】
本発明のウインドレギュレータ（請求項１）は、上下に備え付けられるケーブルガイドと、それらのケーブルガイドの間に配索されるインナーケーブルと、そのインナーケーブルに固定されると共に窓ガラスを支持するキャリアプレートと、インナーケーブルを駆動する駆動装置とからなるドアパネルに取り付けるウインドレギュレータを、ドアパネルに取り付ける構造と実質的に同じ構造で着脱自在に格納するため、それぞれの部品を平面状に固定して一体化して、取り扱うことができる。そのため、ケーブルの初期張力を確保してウインドレギュレータ全体を搬入、輸送することができる。さらに、ウインドレギュレータの取り付けも搬送用固定具からの取り外しと同時にインナーパネルに取り付けることができ、ウインドレギュレータの組み立てが容易である。また、ウインドレギュレータを取り付けた後は、回収することができるため、コストの低下が図れる。
【００１７】
このような搬送用固定具であって、ケーブルガイドを着脱自在に仮置きして格納する場合、ウインドレギュレータ全体を固定することができる（請求項２）。また、取っ手を上端に備えている場合、その持ち運びが容易である（請求項３）。
【００１８】
ケーブルガイドを着脱自在に仮置きして格納する搬送用固定具は、ケーブルガイドがドアパネルに四角形状に４つ固定され、前記インナーケーブルが上下のケーブルガイドを直接連結するように８字状に配索されるウインドレギュレータにも使用することができる。
【００１９】
また、ケーブルガイドを着脱自在に仮置きして格納する搬送用固定具であって、上下端に設けられた取付部と、その取付部の間に形成された凹状の収納部とからなるプレート状であり、前記ケーブルガイドは取付部に仮置きされ、前記キャリアプレートおよび駆動装置は収納部に仮置きされる場合、ウインドレギュレータ全体を搬送用固定具内に収納することができるため、ウインドレギュレータをつけた搬送用固定具（ウインドレギュレータ組立セット）を重ねて輸送しても、キャリアプレート、駆動装置が邪魔にならない。
【００２０】
さらに、ケーブルガイドを着脱自在に仮置きして格納する搬送用固定具であって、実質的に中心で回動自在に連結された２本のロッドからなり、前記ケーブルガイドはそれぞれロッドの上下部に仮置きされるＸリンク式の場合、ロッドを開いたり、閉じたりすることができる。そのため、この搬送用固定具にケーブルガイドを仮置きして開くことにより、各部品をドアパネル等に取り付けたときと実質的に同じ状態にすることができ、ドアパネル等への取り付けが容易である。そして、ケーブルガイドを仮置きして、閉じることにより、ウインドレギュレータ組立セットをコンパクトにして搬送することができる。さらに、ウインドレギュレータを取り付けた後も閉じて回収することにより、嵩張らない。
【００２１】
また、このようなＸリンク式の搬送用固定具であって、一方のロッドの上部と他方のロッドの下部とを連結する折り畳み可能なアームを備えた場合、リンクの回転角度を制御することができ、確実にウインドレギュレータの取り付け構造を再現することができる。
【００２２】
本発明のウインドレギュレータ組立セットは、上述したいずれか記載の搬送用固定具と、その搬送用固定具に格納されるウインドレギュレータとからなるため、ウインドレギュレータの取り付けが容易である。
【００２３】
本発明のウインドレギュレータの取り付け方法は、本発明のレギュレータ組立セットを、搬送用固定具とドアパネル等の間にウインドレギュレータが位置するように配置させ、ウインドレギュレータを搬送用固定具から取り外すと同時に、ドアパネル等に取り付けるため、取り付け作業の作業能率を良くすることができる。
【発明を実施するための最良の形態】
【００２４】
本発明を図面を用いて説明する。図１は本発明のウインドレギュレータ組立セットの一実施形態を示す側面図、図２ａはその組立セットに用いられる搬送用固定具を示す側面図、図２ｂはそのＸ−Ｘ線断面図、図２ｃはその組立セットに用いられる搬送用固定具の他の形態を示す一部側面図、図３は本発明のウインドレギュレータの一実施形態を示す側面図、図４ａはそのウインドレギュレータに用いられるプーリを示す側面断面図、図４ｂはそのウインドレギュレータに用いられるキャリアプレートの側面図、図５ａ、ｂ、ｃ、ｄは取付パネルに図４ａのプーリを取り付ける方法を示す工程図、図６ａ、ｂ、ｃ、ｄはドアパネルに図４のプーリの取り付ける方法の一実施形態を示す工程図、図７ａ、ｂ、ｃはドアパネルにプーリを取り付ける方法の他の実施形態を示す工程図、図８ａは本発明のウインドレギュレータ組立セットの他の実施形態を示す側面図、図８ｂはそのウインドレギュレータ組立セットを折り畳んだ状態を示す側面図、図９ａ、ｂはそれぞれ図８に用いられるロッドを示す正面図、図１０ａ、ｂは図８に用いられる折り畳みアームを示す正面図、側面図、図１１ａは本発明のウインドレギュレータ組立セットのさらに他の実施形態を示す側面図、図１１ｂその搬送用固定具を示す側面図、図１１ｃ、ｄは本発明の搬送用固定具のさらに他の実施形態を示す側面図、図１２ａは本発明のウインドレギュレータ組立セットのさらに他の実施形態を示す側面図、図１２ｂはその搬送用固定具を示す側面図、図１３ａ、図１３ｂは本発明のウインドレギュレータ組立セットのさらに他の実施形態を示す側面図、図１４ａ、図１４ｂは本発明のウインドレギュレータ組立セットのさらに他の実施形態を示す側面図、図１５は本発明のウインドレギュレータ組立セットのさらに他の実施形態を示す側面図、図１６ａは図１５に用いられるウインドレギュレータのプーリがドアパネルに取り付けられたときの断面側面図、図１６ｂは、そのプーリが搬送用固定具に取り付けられたときの断面側面図、図１６ｃはそのプーリが搬送用固定具からドアパネルに取り付けられる方法を示す断面側面図、図１７ａ、図１７ｂは本発明のウインドレギュレータ組立セットのさらに他の実施形態を示す側面図、図１８ａ、ｂは本発明のウインドレギュレータに用いられる駆動装置の一実施形態を示す側面断面図、図１９ａ、ｃは本発明のウインドレギュレータに用いられる駆動装置の他の実施形態に用いられるドラムを示す正面図、図１９ｂ、ｄはその側面断面図、図２０は本発明のウインドレギュレータのインナーケーブルの張力の調整方法を示す概略図、図２１は本発明のウインドレギュレータのインナーケーブルの張力の調整方法を示す概略図である。
【００２５】
図１に示すウインドレギュレータ組立セット１０は、搬送用固定具１１と、その搬送用固定具に収納されるウインドレギュレータ１２とからなる。
【００２６】
搬送用固定具１１は、図２ａに示すように矩形状のパネルタイプのものであり、上下端に形成された取付部１３ａ、１３ｂおよびその取付部の間に形成された凹状の収納部１４とからなり、その上端には取っ手１６が形成されている。また、この搬送用固定具１１の上の取付部１３ａと下の取付部１３ｂとは、若干角度がつくように形成されている（図２ｂ参照）。
この上下の取付部１３ａ、１３ｂには、後述するウインドレギュレータのプーリ２１を固定するためのプーリ用取付孔１７ａがそれぞれ２個ずつ形成されている。また、収納部１４には、駆動装置を仮置きするため駆動装置用仮置孔１７ｂが３個形成されている。さらに、収納部１４には、コスト低下、材料の節約および軽量化のための穴１８が形成されている。
【００２７】
このような搬送用固定具１１は、ステンレススチール、アルミニウム（Ａｌ）等の金属によって形成されるのが好ましい。しかし、ポリプロピレン（ＰＰ）、ポリブチレンテレフタレート（ＰＢＴ）等の合成樹脂製であっても構わない。
このように搬送用固定具１１は構成されているため、後述するウインドレギュレータ１２を一体化して、収納することができる。また、ウインドレギュレータを取り付けた後の回収、そして、その後の搬送もパネル式であるため、容易である。
【００２８】
ウインドレギュレータ１２は、図３に示すように、ドアパネルＰに取り付けられるものであり、４つのプーリ２１と、そのプーリに配索されるインナーケーブル２２と、そのインナーケーブルに固定されると共に窓ガラス２４を支持するキャリアプレート２３と、インナーケーブルを前後に駆動する駆動装置２５とからなる。また、このウインドレギュレータには、キャリアプレートの移動軌跡を支持するガイド部材が用いられておらず、ドアＤの窓ガラスランＲによって窓ガラス２４がガイドされている。さらに、このウインドレギュレータ１２はプーリ２１と駆動装置２５のみがドアパネルＰに固定されるものである。
【００２９】
４つのプーリ２１は、図４ａに示すように、雌ネジが形成された中心孔２６ａを有する円筒状のプーリシャフト２６と、その外周に配置され溝２７ａを備えた円筒状のプーリ本体２７と、プーリシャフトおよびプーリ本体を覆うコ字状のプーリブラケット２８と、ドアパネルＰを介してプーリシャフトの中心孔２６ａに挿入される雄ネジが形成されたボルト２９とからなる。このプーリシャフト２６のボルト取付側の端部には、フランジ２６ｂが形成されており、プーリシャフト２６の他端は、プーリブラケット２８にか締め付けられている。これによりプーリ本体２７は、プーリシャフト２６に対し回転自在に、かつ、プーリシャフト２６から抜けないように保持される。このプーリ２１はドアパネルＰの凸部に取り付けられる。このようにドアパネルＰの凸部を設けることにより、プーリ２１とケーブル２２を介して連結しているキャリアプレート２３の上下移動スペースを確保している。プーリブラケット２８はプーリ本体２７の溝２７ａからケーブルが抜けることを防止する。
【００３０】
このプーリブラケットの底部２８ａには、プーリシャフトの中心孔２６ａと同心の連通孔２８ｂが形成されている。そして、このプーリブラケット２８の開口部をドアパネルＰに合わせるようにして、プーリ２１は取り付けられる。さらに、プーリブラケット２８の開口部の一部にはドアパネルＰと係合するツメ２８ｃが形成されており、これによりボルト２９を中心孔２６ａに挿入してネジを螺合させるときのプーリシャフト２６の共回りを防止する。
また、ボルト２９の先端には、突出部２９ａが形成されており、ボルト２９のネジ部とプーリシャフトのネジ部の長さは実質的に同じとなるように形成されている。
このプーリはポリアセタール（ＰＯＭ）等の合成樹脂製であるが、ステンレススチール、アルミニウム（Ａｌ）、亜鉛（Ｚｎ）等の金属を用いても良い。
【００３１】
キャリアプレート２３は、図４ｂに示すように、基板３１と、その基板の表面の中心部に設けられたインナーケーブル係止部３２と、基板３１の端部に形成された窓ガラス２４の下端を係止する窓ガラスホルダー３５を保持する窓ガラス係止部３３とから構成されている。また、基板３１の表裏には、凹部が形成されていてもよい。このようなキャリアプレート２３はポリブチレンテレフタレート（ＰＢＴ）、ポリアセタール（ＰＯＭ）等の合成樹脂によって形成される。しかし、溶融亜鉛メッキ鋼板（ＳＧＣＣ）、アルミニウム（Ａｌ）等の金属製であっても構わない。なお、本実施形態では、インナーケーブル係止部３２に圧縮コイルバネＣが設けられており、インナーケーブルの張力調節機能を有している。
【００３２】
図３に戻って、インナーケーブル２２は、四角形状に配置された４つのプーリ２１のうち、上下のプーリ２１を直接連結するように８字状に配索される。このようなインナーケーブルとしては、軽量化および低コスト化のため、コントロールケーブルのアウターケーシングを省いたインナーケーブルが用いられる。また、この場合、ドアパネルへの組み立て時に接触などによる傷を防止するためインナーケーブルに合成樹脂製のコートを設けている。
【００３３】
駆動装置２５は、モータと、そのモータに取り付けられたケーブルガイドからなり、この駆動装置２５は、半径方向に突出した３箇所の固定部２５ａを備えており、この固定部２５ａにおいてモータとケーブルガイドとでドアパネルを挟むようにして固定される。そのため、この駆動装置２５のモータは、ウインドレギュレータをドアパネルに取り付けてから別途取り付けることができるように構成されている。これにより、駆動装置の厚さを小さくすることができ、ウインドレギュレータ組立セット１０をドアのベルトラインＢ開口から挿入して取り付ける場合は、その挿入がし易くなり、ドアのベルトラインＢの開口寸法を最小にすることができる。
このウインドレギュレータ１０は、窓ガラスを昇降させるために必要な部品を最小限としているため、取り付けられるドアＤの軽量化を促進し、また、ウインドレギュレータの低コスト化を実現する。また、ドアパネルＰへの取り付け箇所を上述したケーブルガイドのプーリシャフト１６および駆動装置の固定部１５ａ（３箇所）の７箇所とし、取り付け工程の簡素化を可能としている。したがって、搬送用固定具１１を用いての取り付けに最も適したウインドレギュレータといえる。
【００３４】
図１に戻って、上述のように構成されたウインドレギュレータは、４つのプーリ２１を搬送用固定具１１の上下の取付部１３に２箇所ずつ形成されたプーリ用取付孔１７ａに仮置きし、駆動装置２５を搬送用固定具の収納部１４の駆動装置用仮置孔１７ｂに仮置きして搬送用固定具１１に取り付けられる。ここでは、プーリ２１の取り付け方法を示す。
【００３５】
プーリ２１の搬送用固定具への取り付け方法は、図５ａに示すように初めにプーリのプーリブラケットの底部２８ａを取付部材に当接させ、かつ、プーリシャフトの中心孔２６ａの他端を搬送用固定具のプーリ用取付孔１７aに当接させる。そして雄ネジが形成された取付用ピン３６をプーリシャフトの中心孔２６ａに、ボルト２９の取付側とは反対から挿入して取り付ける（図５ｂ、ｃ参照）。このように構成されているため、プーリシャフトのフランジ２６ｂがプーリ本体２７の脱落を防止し、かつ、プーリ本体２７は、搬送用固定具１１に対して回転自在に固定される。
【００３６】
また、この取付用ピン３６の先端には、ボルト２９の突出部２９ａと係合するスリット３６ａが形成されている。この先端のスリット３６ａは、プーリシャフトの中心孔のネジ部から突出するように構成されている。そのため、後述するドアパネルへの取り付け時に、ボルト２９の突出部２９ａに係合させることができる。このようにプーリ２１を搬送用固定具に固定しているとき、ボルト２９は別途保管しておくのが好ましい。しかし、図５ｄに示すように、ボルト２９および取付用ピン３６をプーリシャフトの中心孔２６ａのネジに螺合させた状態にしてもよい。また、スリット３６ａは交差するように２〜３本形成してもよい。
プーリ２１を搬送用固定具に取り付けた後、駆動装置２５の固定部２５ａを駆動装置用仮置孔１７ｂに仮置きピンで仮置きする。
【００３７】
このようにして４つのプーリ２１が搬送用固定具のプーリ用取付孔１７ａが形成された場所に仮置きされ、駆動装置２５が搬送用固定具の駆動装置用仮置孔１７ｂが形成された場所に仮置きされる（ウインドレギュレータ組立セット１０）（図１参照）。このとき、このウインドレギュレータ１２はドアパネルＰに取り付けられたときと実質的に同じ配置で一体化されて搬送用固定具１１に格納される。また、このプーリ２１および駆動装置２５に付随するインナーケーブル２２およびキャリアプレート２３は、搬送用固定具の収納部１４に収納される。さらに、インナーケーブル２２には、適度な初期張力が確保されておりインナーケーブル２２が絡まったり、キャリアプレートが上下にゆれるなどして収納部から飛び出したりしない。
【００３８】
次に、ウインドレギュレータ組立セット１０を用いてドアパネルＰへ取り付ける方法を示す。ウインドレギュレータ１２への窓ガラス２４の取り付けは、ウインドレギュレータ１２をドアパネルＰに取り付けた後に行う。
初めに、ウインドレギュレータ１２が搬送用固定具１１とドアパネルＰの間に位置するようにウインドレギュレータ組立セット１０をドアパネルＰに当接させる。このとき、ウインドレギュレータ組立セットは、ドアのベルトラインＢ開口から挿入するようにしてもよく、また、ドアに形成された穴から挿入するようにしてもよい。ここでは、図６ａを用いて、プーリ２１の取り付けについて説明をする。
【００３９】
ウインドレギュレータ組立セット１０をドアパネルＰに当接させた後、ボルト２９をドアパネルＰを介してプーリシャフトの中心孔２６ａに挿入する（図６ｂ参照）。そして、ボルト２９をプーリシャフトの中心孔２６ａの奥まで螺合する。これにより取付用ピン３６がプーリシャフトの中心孔２６ａから押し出され、ウインドレギュレータ１２が搬送用固定具１１から外される（図６ｃ、ｄ参照）。
【００４０】
また、プーリ２１をドアパネルに取り付ける前、駆動装置２５のドラムとモータとをドアパネルを挟むようにしてボルトとナットで取り付ける。これにより、ボルト２９を挿入することで、搬送固定具１１からウインドレギュレータ１２を完全に切り離すことができる。しかし、ウインドレギュレータ組立セット１０は、ウインドレギュレータ１２をドアパネルＰに取り付けるときと同じ状態にして格納しており、インナーケーブル２２の初期張力が保たれているため、駆動装置２５を後に取り付けても良い。このように、ウインドレギュレータ１２の取り付け方法は、搬送用固定具１１からウインドレギュレータ１２を取り外すと同時に、ウインドレギュレータ１２をドアパネルに取り付けることができるものである。
また、取り外された搬送用固定具１１および取付用ピン３６は、ウインドレギュレータの製造元に送り返すことによって、再利用することができる。
【００４１】
また、前述したようにこの搬送用固定具１１は、図２ｂに示すように、下の取付部１３ｂと上の取付部１３ａとは若干角度が付いている。これは窓ガラス２４が湾曲しており、この湾曲した窓ガラス２４に対応するための構造である。これにより、ウインドレギュレータの取り付け時に、ウインドレギュレータ組立セット１０の搬送用固定具１１のドアパネルへの当接状態をより密接にすることができ、取付用ピン３６を搬送用固定具１１に対して垂直に抜くことができる。
【００４２】
しかし、搬送用固定具１１の上下の取付部１３ａ、ｂが平行となるようにしてもよい。その場合、窓ガラス２４が湾曲しているため、図２ｃに示すように、プーリ用取付孔１７ａを縦長のスリット状に形成する。これは、窓ガラスが湾曲しているため、上部取付部１３ａに取り付けられる取付用ピン３６と下部取付部１３ｂに取り付けられる取付用ピン３６の抜き取るときの角度が異なってくるためであり、上部取付部１３ａのプーリ用取付孔１７ａを縦長にすることにより、上部取付部１３ａに取り付けられる取付用ピン３６を上下に移動できるようにし抜け易くするためである。
【００４３】
図７ａに示すウインドレギュレータの取り付け方法は、搬送用固定具のプーリ用取付孔１７ａに代えて、ウインドレギュレータが固定される方の搬送用固定具の取付部の面に取付用ピン４２が溶接され、かつ、取付ピン４２が溶接された取付ピンの周囲に磁石４３が固定された搬送用固定具４１を使用している。
このように搬送用固定具４１は構成されているため、ウインドレギュレータ１２のプーリ２１が搬送用固定具４１に取り付けられているときは、ボルト２９はプーリ２１から抜かれており、コ字状のプーリブラケットの底部２８ａと搬送用固定具４１とが当接した状態で、プーリ２１のプーリシャフトの中心孔２６ａに取付用ピン４２が挿入されている。（図７ａ参照）。ここでプーリブラケットの底部２８ａは搬送用固定具の磁石４３に吸引されている。
【００４４】
次に、この搬送用固定具４１を備えたウインドレギュレータ組立セットを用いたウインドレギュレータの取り付けは、搬送用固定具４１をドアパネルＰに当接させる（図７ａ参照）。そして、駆動装置２５をドアパネルＰを挟むようにしてボルトとナットで取り付ける。ついで、ボルト２９を、ドアパネルＰを介してプーリシャフトの中心孔２６ａに挿入する（図７ｂ参照）。これにより、取付ピン４２が押し出され、搬送用固定具４１は外れる。
【００４５】
図８に示すウインドレギュレータ組立セット５０は、実質的に中心で連結された２本のロッド５２ａ、５２ｂからなるリンク構造の搬送用固定具５１を備えたものであり、その搬送用固定具の回転角度を規制する折り畳みアーム５３が設けられている。ウインドレギュレータ１２は、図１の組立セット１０と実質的に同じものである。そして、プーリ２１はそれぞれロッド５２ａ、５２ｂの上下部に固定される。
【００４６】
ロット５２ａ、５２ｂは、図９ａ、ｂに示すように、両端部に形成されたプーリ用取付孔５２ｃと、中部に形成されたリンクの軸心孔５４と、組み立てられたときに一方のロッド５２ａの上部および他方のロッド５２ｂの下部となるように形成された折り畳みアーム用取付孔５６（図８参照）とが形成されている。また、一方のロッド５２ａには、駆動装置２５を仮置きピンなどで仮置きする駆動装置用仮置孔５７が形成されている。
【００４７】
折り畳みアーム５３は、図１０ａ（正面図）、図１０ｂ（側面図）に示すように２本のアーム５３からなり、それぞれの端部５３ａを連結部材５９で連結したものである。また、アーム５３の他方の端部には、ロッド５２ａ、５２ｂと連結するロッド用取付孔５８が形成されている。
【００４８】
この搬送用固定具５１とウインドレギュレータ１２のプーリ２１および駆動装置２５とは、前述した方法で取り付けられている。そして、この搬送用固定具５１はリンク構造となっているため、ロッド５２ａ、５２ｂを折り畳むことができる。そのため、ウインドレギュレータ１２を取り付けて開くことにより、ウインドレギュレータをドアパネルに取り付けたときと実質的に同じ形にすることができ、ドアパネル等への取り付けが容易である。また、ウインドレギュレータを取り付けて閉じることにより全体をコンパクトにすることができ、搬入あるいは輸送が容易である（図８ｂ参照）。さらに、折り畳み可能なアームを備えているため、開いた状態のリンクの回転角度を調整することができ、確実にウインドレギュレータの取り付け構造を再現することができる。
【００４９】
図１１に示すウインドレギュレータ組立セット６０は、搬送用固定具６１が、上下取付具６１ａ、６１ｂと、それらをつなぐリンク６２とからなる。ウインドレギュレータのプーリ２１、インナーケーブル２２、キャリアプレート２３および駆動装置２５は、図１のものと実質的に同じである。
このように構成されているため、取付具６１ａ、６１ｂを左右に滑らすことにより、搬送用固定具６１の高さを狭めることができるものである（図１１ｂ参照）。また、図１１ｃに示す搬送用固定具６３のように、上下取付具６３ａ、６３ｂをヒンジ６３ｃでつなぎ、それらの表裏を合わせるようにして折り畳めるようにしてもよい。これにより一層コンパクトにしてウインドレギュレータを運ぶことができる。さらに図１１ｄに示す搬送用固定具６４のように、上下搬送用固定具６４ａ、６４ｂを複数のヒンジ６４ｃでつなぎ、搬送用固定具６４の高さを狭めることができるようにしてもよい。
【００５０】
さらに図１２に示すウインドレギュレータ組立セット６５は、搬送用固定具６６が、前後取付具６６ａ、６６ｂと、それらをつなぐリンク６７とからなる。ウインドレギュレータは図１のものと実質的に同じである。
このうように構成されているため、前後取付具６６ａ、６６ｂを上下にずらすことができ、ウインドレギュレータ組立セット６４の全体の幅を狭めることができる（図１２ｂ参照）。このものも、図１１ｃと同様にヒンジ等を用いて折り畳み式にしてもよい。
【００５１】
図１３ａ、ｂに示すウインドレギュレータ組立セット６８は、搬送用固定具６９が３本のロッド６９ａ、６９ｂ、６９ｃをＮ字状あるいはＺ字状となるようにつないだものである。つまり、ロッド６９ａの後端をロッド６９ｂの前端に回転自在に連結し、ロッド６９ｃの前端をロッド６９ｂの後端に回転自在に連結したものである。そして、ロッド６９ａの前端、ロッド６９ｂの前端（ロッド６９ａの後端）、ロッド６９ｂの後端（ロッド６９ｃの前端）、ロッド６９ｃの後端にそれぞれプーリ２１は仮置きされている。
このように構成されているため、ウインドレギュレータ組立セット６８を折り畳むことができる。
【００５２】
図１４ａに示すウインドレギュレータ組立セット７０は、ウインドレギュレータ７１と、そのウインドレギュレータを格納する搬送用固定具７２とからなる。
ウインドレギュレータ７１は、上下に配置される２つのプーリ７３と、そのプーリの間に配索されるインナーケーブル７４と、そのインナーケーブルに固定されると共に窓ガラスを支持するキャリアプレート７５と、インナーケーブルを前後に駆動する駆動装置７６とを備えている。このウインドレギュレータ７１も、図１のウインドレギュレータ１２と同様に、キャリアプレートの移動軌跡を支持するガイド部材が用いられておらず、ドアＤの窓ガラスランＲに窓ガラスが支持されるものである。
【００５３】
また、図１４ｂに示すようにプーリ７３（上部）およびプーリの代わり用いるスライドガイド７３ａ（下部）と駆動装置７６の間に、インナーケーブルを移動自在に挿入するアウターケーシング（導管）を備えてもよい。つまり、スライドガイド７３ａと駆動装置７６との間をコントロールケーブル７４ａでつないでもよい。このようにスライドガイド７３ａと駆動装置７６とをコントロールケーブルでもって連結することにより、この間のインナーケーブルを支持することができ、インナーケーブルが一層撓みにくい。また、図１、図８の４個のプーリ（あるいはスライドガイド）を用いるウインドレギュレータにおいてもコントロールケーブルを用いても良い。
【００５４】
搬送用固定部７２は、矩形状のプレートからなり、収納部７７と、取付部７８と、収納部と取付部とを区画する縦に延びる段部７９とからなる。また、取付部７８の上部には取っ手８０が設けられている。
【００５５】
このようにウインドレギュレータ組立セット７０は構成されているため、ウインドレギュレータのプーリ７３は取付部７８に仮置きされ、駆動装置７６は収納部７７に仮置きされ、インナーケーブル７４に初期張力を保持するようにしてプーリと駆動装置に配索される。このウインドレギュレータ７１の搬送用固定具７２への仮置きは、図１のウインドレギュレータ組立セット１０と実質的に同じである。
【００５６】
このウインドレギュレータ組立セット７０をドアパネルＰに当接させ、搬送用固定具７２に仮置きされているウインドレギュレータ７１（プーリ７３および駆動装置７６）を図１のウインドレギュレータ組立セットと同様にして、ドアパネルＰに固定するものである。
【００５７】
図１５に示すウインドレギュレータ組立セット８５は、ウインドレギュレータ８６がキャリアプレート９１の上下動を支持するガイドレール９２を備えたものである。搬送用固定具は図１に示す搬送用固定具１１と実質的に同じものであり、この図面において図１と同じ符号を用いる。
【００５８】
ウインドレギュレータ８６は、４つのプーリ８９と、そのプーリに配索されるインナーケーブル９０と、そのインナーケーブルに固定されると共に窓ガラスを支持するキャリアプレート９１と、そのキャリアプレートの上下動を支持するガイドレール９２と、インナーケーブルを前後に駆動する駆動装置９３とからなる。また、このウインドレギュレータ８６はプーリ８９、ガイドレール９２および駆動装置９３がドアパネルＰに固定される。
【００５９】
図１６ａに示すように、このガイドレール９２を備えたウインドレギュレータ８６のプーリ８９は、ドアパネルＰにガイドレール９２を介してボルト２９でもって取り付けられる。また、図１６ｂに示すように、プーリ８９およびガイドレール９２は搬送用固定具１１にプーリ用仮置きピン３６によって仮置きされる。そして、図１６ｃに示すように、この搬送用固定具１１に仮置きされたウインドレギュレータのプーリ８９にボルト２９を挿入することによってプーリ用仮置きピン３６を押し出し、ドアパネルＰに取り付けられる。
【００６０】
また、図１７ａに示すウインドレギュレータ組立セット９５のように、上下２つのプーリ９６の間にキャリアプレート９７を支持するガイドレール９８を備えたウインドレギュレータ９９を備えてもよい。この組み立てセット９５のように搬送用固定具の側部に取っ手が設けられていてもよい。さらには、図１７ａに示すウインドレギュレータ組立セット９５のように、図１のウインドレギュレータ１２であって、片方のキャリアプレート２３を支持するガイドレール９８を備えたものであってもよい。
【００６１】
このように本発明の搬送用固定具は、ウインドレギュレータのガイドレールの有無に関わらず使用することができる。しかし、ガイドレールは、ウインドレギュレータを一体化させる治具としての作用を有している。そのため、本発明の搬送用固定具は、ガイドレールが無いウインドレギュレータに対して、一層その効果を発揮するものである。
【００６２】
次に、初期張力を持たせた状態でウインドレギュレータを取り付けた後、インナーケーブルの張力を適度に調整する方法を示す。
【００６３】
図１８、図１９では、インナーケーブルの張力調整手段を有している駆動装置を説明する。
図１８ａに示すように駆動装置１００は、ドラム１０１と、そのドラムの上面と当接するラチェットプレート１０２と、そのラチェットプレートの上に設けられた波ワッシャ１０３と、それらを覆うハウジング１０４ａおよびカバー１０４ｂと、ドラムの下端と連結するモータ１０５とからなる。
ドラム１０１は、円柱状のものであり、側面に形成された溝１０６と、上面に形成された上向きラチェット１０７と、下端に形成されたモータ係合部１０８とからなる。
ラチェットプレート１０２は、下向きラチェット１０９がドラムの上向きラチェット１０７と噛合うようにその下面に形成されている。
波ワッシャ１０３は、ラチェットプレート１０２をドラム１０１に押し付けるように付勢する。
【００６４】
また、この駆動装置１００は、モータ１０５をドラムの下端のモータ係合部１０８と係合させることにより、ドラムをハウジング方向に押し上げ、波ワッシャを潰し、ラチェット面がずれるスペースがなくなるように構成されている。
さらに、この駆動装置１００は、駆動するインナーケーブルの一端がドラム１０１に固定され、インナーケーブルの他端がラチェットプレート１０２に固定されており、共にドラムの溝１０６に巻かれている。
【００６５】
このように構成されているため、図１８ｂに示すようにモータを取り付ける前の状態では、治具１０７ａ等によりドラムを、ドラムおよびラチェットプレートのラチェット面がずれるように回転させることにより、そのラチェット面がずれた分だけインナーケーブルをドラムの溝に巻くことができる。それにより、その巻かれた分だけインナーケーブル張力を大きくすることができる。つまり、ウインドレギュレータをドアパネルに設置し、モータ１０５をドラム１０１に取り付ける前にインナーケーブルの張力を調整することができる。
【００６６】
次に、図１９に示すように、分割構造のドラム１１１を用いた駆動装置を用いてもよい。このものは、扇状に６分割されたドラム１１１が、側面に形成された溝１１２と、下端に形成されたモータ１１４の軸１１５を取り付けるための係合孔１１３とを備えており、この係合孔１１３が、上に向かって狭くなるようにテーパ状に形成されている。このように構成されているため、モータ軸１１５を係合孔１１３に挿入することにより、ドラム１１１は拡がり、溝の巻き半径が大きくなるものである。つまり、図１８ｂの駆動装置１００と同様に、ウインドレギュレータをドアパネルに設置し、その後にインナーケーブルの張力を調整することができる。
【００６７】
次のインナーケーブルの張力の調整方法は、図２０ａに示すように、ドアパネルに移動自在に取り付けられる張力調整プーリ１１６を用いるものである。このようにウインドレギュレータをドアパネルに取り付けた後、この張力調整プーリ１１６を移動させてインナーケーブルの張力を調整する。
また、図２０ａでは張力調整プーリ１１６を用いてインナーケーブルの張力を調整しているが、図２０ｂに示すようにプーリ２１ａあるいは駆動装置２５ｃに張力調整プーリ１１６の作用をもたせ、プーリ２１ａあるいは駆動装置２５ｃを移動させることによってインナーケーブルの張力を調整してもよい。
【００６８】
また、図２１のインナーケーブルの張力の調整方法は、インナーケーブルに固定されたキャリアプレート１１７を回転させてインナーケーブルの張力を得る方法である。キャリアプレート１１７は、図２１ｂに示すように、上から配索されるインナーケーブル２２の一端１１８を留める第１インナーケーブル留め部１１９と、下から配索されるインナーケーブル２２の他端１２０を留める第２インナーケーブル留め部１２１とを備えているものである。このように第１インナーケーブル留め部１１９と第２インナーケーブル留め部１２１との間に距離Ｘを設けるように構成することにより、キャリアプレート１１７を回転させると、その距離Ｘを半径となした円の外周（回転角度分）だけインナーケーブル１１７は巻き取られる。
そのため、プーリおよびインナーケーブルをドアパネルに固定したときにキャリアプレート１１７が傾くように、設計することにより、プーリ等を固定した後、キャリアプレート１１７を所定の状態に回転させることにより、インナーケーブルの張力を強くし、調整することができる。
【図面の簡単な説明】
【００６９】
【図１】本発明のウインドレギュレータ組立セットの一実施形態を示す側面図である。
【図２】図２ａはその組立セットに用いられる搬送用固定具を示す側面図であり、図２ｂはそのＸ−Ｘ線断面図であり、図２ｃはその組立セットに用いられる搬送用固定具の他の形態を示す一部側面図である。
【図３】本発明のウインドレギュレータの一実施形態を示す側面図である。
【図４】図４ａはそのウインドレギュレータに用いられるプーリを示す断面側面図であり、図４ｂはそのウインドレギュレータに用いられるキャリアプレートの側面図である。
【図５】図５ａ、ｂ、ｃ、ｄは取付パネルに図４ａのプーリを取り付ける方法を示す工程図である。
【図６】図６ａ、ｂ、ｃ、ｄはドアパネルに図４のプーリの取り付ける方法の一実施形態を示す工程図である。
【図７】図７ａ、ｂ、ｃはドアパネルにプーリを取り付ける方法の他の実施形態を示す工程図である。
【図８】図８ａは本発明のウインドレギュレータ組立セットの他の実施形態を示す側面図であり、図８ｂはそのウインドレギュレータ組立セットを折り畳んだ状態を示す側面図である。
【図９】図９ａ、ｂはそれぞれ図８に用いられるロッドを示す正面図である。
【図１０】図１０ａ、ｂは図８に用いられる折り畳みアームを示す正面図、側面図である。
【図１１】図１１ａは本発明のウインドレギュレータ組立セットのさらに他の実施形態を示す側面図であり、図１１ｂその搬送用固定具を示す側面図であり、図１１ｃ、ｄは本発明の搬送用固定具のさらに他の実施形態を示す側面図である。
【図１２】図１２ａは本発明のウインドレギュレータ組立セットのさらに他の実施形態を示す側面図であり、図１２ｂはその搬送用固定具を示す側面図である。
【図１３】図１３ａ、図１３ｂは本発明のウインドレギュレータ組立セットのさらに他の実施形態を示す側面図である。
【図１４】図１４ａ、図１４ｂは本発明のウインドレギュレータ組立セットのさらに他の実施形態を示す側面図である。
【図１５】本発明のウインドレギュレータ組立セットのさらに他の実施形態を示す側面図である。
【図１６】図１６ａは図１５に用いられるウインドレギュレータのプーリがドアパネルに取り付けられたときの断面側面図であり、図１６ｂは、そのプーリが搬送用固定具に取り付けられたときの断面側面図であり、図１６ｃはそのプーリが搬送用固定具からドアパネルに取り付けられる方法を示す断面側面図である。
【図１７】図１７ａ、図１７ｂは本発明のウインドレギュレータ組立セットのさらに他の実施形態を示す側面図である。
【図１８】図１８ａ、ｂは本発明のウインドレギュレータに用いられる駆動装置の一実施形態を示す側面断面図である。
【図１９】図１９ａ、ｃは本発明のウインドレギュレータに用いられる駆動装置の他の実施形態に用いられるドラムを示す正面図であり、図１５ｂ、ｄはその側面断面図である。
【図２０】本発明のウインドレギュレータのインナーケーブルの張力の調整方法を示す概略図である。
【図２１】本発明のウインドレギュレータのインナーケーブルの張力の調整方法を示す概略図である。
【符号の説明】
【００７０】
Ｄ    ドアパネル
Ｒ    窓ガラスラン
Ｃ    圧縮コイル
１０  ウインドレギュレータ組立セット
１１  搬送用固定具
１２  ウインドレギュレータ
１３ａ  上取付部
１３ｂ  下取付部
１４  収納部
１６  取っ手
１７ａ  プーリ用取付孔
１７ｂ  駆動装置用仮置孔
１８  穴
２１  プーリ
２２  インナーケーブル
２３  キャリアプレート
２４  窓ガラス
２５  駆動装置
２５ａ  固定部
２６  プーリシャフト
２６ａ  中心孔
２６ｂ  フランジ部
２７  プーリ本体
２７ａ  溝
２８  プーリブラケット
２８ａ  底部
２８ｂ  連通孔
２８ｃ  ツメ
２９  ボルト
２９ａ  突出部
３１  基板
３２  インナーケーブル係止部
３３  窓ガラス係止部
３５  窓ガラスホルダー
３６  取付用ピン
３６ａ  スリット
４１  搬送用固定具
４２  取付用ピン
４３  磁石
５０  ウインドレギュレータ組立セット
５１  搬送用固定具
５２ａ、５２ｂ  ロッド
５２ｃ  プーリ用取付孔
５３  アーム
５３ａ  アームの端部
５４  リンクの軸心孔
５６  アーム用取付孔
５７  駆動装置用仮置孔
５８  ロッド用取付孔
５９  連結部材
６０  ウインドレギュレータ組立セット
６１  搬送用固定具
６１ａ  上取付具
６１ｂ  下取付具
６２  リンク
６３  搬送用固定具
６３ａ  上取付具
６３ｂ  下取付具
６３ｃ  ヒンジ
６４  搬送用固定具
６４ａ  上取付具
６４ｂ  下取付具
６４ｃ  ヒンジ
６５  ウインドレギュレータ組立セット
６６  搬送用固定具
６６ａ、６６ｂ  取付具
６７  リンク
６８  ウインドレギュレータ組立セット
６９  搬送用固定具
６９ａ、６９ｂ、６９ｃ  ロッド
７０  ウインドレギュレータ組立セット
７１  ウインドレギュレータ
７２  搬送用固定具
７３  プーリ
７３ａ  スライドガイド
７４  インナーケーブル
７４ａ  コントロールケーブル
７５  キャリアプレート
７６  駆動装置
７７  収納部
７８  取付部
７９  段部
８０  取っ手
８５  ウインドレギュレータ組立セット
８６  ウインドレギュレータ
８９  プーリ
９０  インナーケーブル
９１  キャリアプレート
９２  ガイドレール
９３  駆動装置
９５  ウインドレギュレータ組立セット
９６  プーリ
９７  キャリアプレート
９８  ガイドレール
９９  ウインドレギュレータ
１００  駆動装置
１０１  ドラム
１０２  ラチェットプレート
１０３  波ワッシャ
１０４ａ  ハウジング
１０４ｂ  カバー
１０５  モータ
１０６  溝
１０７  上向きラチェット
１０７ａ  治具
１０８  モータ係合部
１０９  下向きラチェット
１１１  ドラム
１１２  溝
１１３  係合孔
１１４  モータ
１１５  モータ軸
１１６  張力調整用プーリ
１１７  キャリアプレート
１１８  インナーケーブルの端部
１１９  第１インナーケーブル留め部
１２０  インナーケーブルの端部
１２１  第２インナーケーブル留め部
【図１】
2007210061.tif 000003
【図２】
2007210061.tif 000004
【図３】
2007210061.tif 000005
【図４】
2007210061.tif 000006
【図５】
2007210061.tif 000007
【図６】
2007210061.tif 000008
【図７】
2007210061.tif 000009
【図８】
2007210061.tif 000010
【図９】
2007210061.tif 000011
【図１０】
2007210061.tif 000012
【図１１】
2007210061.tif 000013
【図１２】
2007210061.tif 000014
【図１３】
2007210061.tif 000015
【図１４】
2007210061.tif 000016
【図１５】
2007210061.tif 000017
【図１６】
2007210061.tif 000018
【図１７】
2007210061.tif 000019
【図１８】
2007210061.tif 000020
【図１９】
2007210061.tif 000021
【図２０】
2007210061.tif 000022
【図２１】
2007210061.tif 000023